(57)【特許請求の範囲】
【請求項１】
ケース内に、紐状体を巻き取るリールと、このリールと同心かつ前記リールに対して回転可能に設けられたばね芯と、前記リールを前記紐状体の巻き取り方向に付勢する引き込みばねとを備え、前記引き込みばねが、一端が前記リールに結合されると共に他端が前記ばね芯に結合され、前記リール内に有するばね収容部に配置された第一渦巻きばねと、この第一渦巻きばねと軸方向に並列配置されて一端が前記ばね芯に結合されると共に他端が前記ケース側に結合された第二渦巻きばねを備え、前記第一渦巻きばねと前記第二渦巻きばねが前記ばね芯を介して連繋していることを特徴とする紐状体巻き取り装置。
【請求項２】
第一渦巻きばねが相対的に低ばね、第二渦巻きばねが相対的に高ばねであることを特徴とする請求項１に記載の紐状体巻き取り装置。
【発明の詳細な説明】
【技術分野】
【０００１】
本発明は、紐状体巻き取り装置であって、例えば過って携帯物を落とすことのないように、巻き取り可能な紐状体に携帯物を繋着して使用する携帯物落下防止具など、紐状体を巻き取る手段を有するものに関する。
【背景技術】
【０００２】
建設現場等において、作業者が例えば高所での作業中に過って工具を手から落としてしまった場合の安全性を確保するために使用される携帯物落下防止具（工具落下防止具）として、作業者が腰に装着しているベルトに係止されるケース内に、ワイヤが巻回されると共に引き込みばねによってワイヤを巻き取る回転方向へ付勢されたリールが組み込まれ、このリールからケースの外部へ引き出されるワイヤの先端に工具を繋着するための係止具が設けられたものが知られている。
【０００３】
この種の携帯物落下防止具は、高所作業に際して、作業者が腰に装着しているベルト等にケースを固定し、ワイヤの先端の係止具に工具を繋着して使用する。そして図４に示すように、高所作業中に過って作業者Ａが工具Ｔを手から過って落としてしまった場合、作業者Ａの腰ベルトＢに装着したケース１００内のリール（不図示）から、工具Ｔの落下によってワイヤ１０１が引き出されていき、これに伴い、内蔵された引き込みばねが蓄勢されるので、工具Ｔの落下を途中で食い止めることができる。しかしこの場合、工具Ｔの落下速度や重量によっては、ワイヤ１０１の全長が引き出されて、そのときの衝撃によってワイヤ１０１が破断したり、ケース１００が損傷を受けたりする懸念があった。
【０００４】
そこで図５に示すように、ワイヤ１０１を巻き取るリール１０２を巻き取り回転方向へ付勢する引き込みばね１０３を、強さの異なる複数の渦巻きばね１０３ａ，１０３ｂを連繋した構造とすることが知られている（下記の特許文献１参照）。
【０００５】
すなわちこの携帯物落下防止具によれば、図４に示すように、作業者Ａが手に持った工具Ｔを過って落とした時に、工具Ｔの落下によってワイヤ１０１が図５に示すリール１０２の回転を伴いながら引き出されていく過程で、引き込みばね１０３は内周側の弱い渦巻きばね１０３ａから先にばね芯１０４に巻き付いていき、弱い渦巻きばね１０３ａが巻ききった時点で外周側の強い渦巻きばね１０３ｂの巻き付きが開始され、これによってワイヤ１０１の引き出しに対する弾性的抗力が強まって衝撃力を吸収するので、ワイヤ１０１が破断されたりするのを防止することができるのである。
【先行技術文献】
【特許文献】
【０００６】
【特許文献１】実公平６−３８９９５号公報
【発明の概要】
【発明が解決しようとする課題】
【０００７】
しかしながら、上記従来の携帯物落下防止具によれば、リール１０２に内蔵した引き込みばね１０３が弱い渦巻きばね１０３ａと強い渦巻きばね１０３ｂを径方向に配置して連繋したものであるため、リール１０２の径寸法ｄが大きくなってしまい、ひいては、このリール１０２を収容しているケース１００の幅方向のサイズ（ばね芯１０４の軸心と直交する方向のサイズ）が大きくなってしまう問題があった。また、引き出し可能なワイヤ１０１の長さを長くする場合も、それに応じて引き込みばね１０３の長さを長くする必要があり、その結果、リール１０２の径寸法ｄが大きくなって、ケース１００のサイズが大きくなってしまう問題があった。
【０００８】
そして建設現場等での作業には、工具Ｔを複数携帯して使用することが多く、このため作業者Ａは、使用する工具Ｔの数だけ携帯物落下防止具を腰ベルトＢに並べて装着する必要があるが、上述のように、携帯物落下防止具のケース１００のサイズが大きいと、それだけ装着可能な数が少なくなってしまう問題があった。
【０００９】
本発明は、以上のような点に鑑みてなされたものであって、その技術的課題は、工具などの携帯物を過って落としてしまうことによる危険を回避するために、巻き取り可能な紐状体に携帯物を繋着して用いる携帯物落下防止具等、紐状体巻き取り装置において、機能の低下をきたさずにサイズを小さくし、あるいは紐状体の引き出し可能な長さを長くすることにある。
【課題を解決するための手段】
【００１０】
上述した技術的課題を有効に解決するための手段として、請求項１の発明に係る紐状体巻き取り装置は、ケース内に、紐状体を巻き取るリールと、このリールと同心かつ前記リールに対して回転可能に設けられたばね芯と、前記リールを前記紐状体の巻き取り方向に付勢する引き込みばねとを備え、前記引き込みばねが、一端が前記リールに結合されると共に他端が前記ばね芯に結合され、前記リール内に有するばね収容部に配置された第一渦巻きばねと、この第一渦巻きばねと軸方向に並列配置されて一端が前記ばね芯に結合されると共に他端が前記ケース側に結合された第二渦巻きばねを備え、前記第一渦巻きばねと前記第二渦巻きばねが前記ばね芯を介して連繋していることを特徴とする。なお、ここでいう「紐状体」とは、紐、ワイヤ、ロープ、糸などを総称するものである。
【００１１】
請求項１の構成の紐状体巻き取り装置は、紐状体の引き出しに伴ってリールが紐状体の引き出し方向へ回転するので、引き込みばねにおける第一及び第二渦巻きばねがばね芯に巻き付いて巻き取り方向へ蓄勢されるものである。そして引き込みばねは、軸方向に並列配置された第一及び第二渦巻きばねを、ばね芯を介して互いに連繋したものであるため、紐状体の引き出し長さを一定とした場合はリールを小径にすることができ、ひいてはリールの軸心と直交する方向のケースのサイズを小さくすることができ、もしくは引き込みばねが第一及び第二渦巻きばねからなることによって紐状体の引き出し長さを長くすることができる。
【００１２】
また、請求項２の発明に係る紐状体巻き取り装置は、請求項１に記載の構成において、第一渦巻きばねがばね芯に完全に巻き付いた時点でばね芯が引き出し回転方向へ回転して第二渦巻きばねがばね芯に巻き付いていくように、第一渦巻きばねを相対的に低ばね、第二渦巻きばねを相対的に高ばねとしたことを特徴とする。
【００１３】
請求項２の構成の紐状体巻き取り装置は、紐状体を引き出すとき、引き込みばねは、まず相対的に低ばねの第一渦巻きばねがリールからのトルクによってばね芯に巻き付きながら蓄勢されていく。そして第一渦巻きばねがばね芯に巻き付ききった時点でばね芯が回転し、相対的に高ばねの第二渦巻きばねがばね芯に巻き付いていくものである。
【発明の効果】
【００１４】
本発明に係る紐状体巻き取り装置によれば、ケースの幅を小さくして、同じスペースへ装着可能な数を増加することができ、あるいは紐状体の引き出し長さを長くすることができる。
【図面の簡単な説明】
【００１５】
【図１】本発明に係る紐状体巻き取り装置を携帯物落下防止具に適用した好ましい実施の形態を示す外観斜視図である。
【図２】本発明に係る紐状体巻き取り装置を携帯物落下防止具に適用した好ましい実施の形態を示す断面図である。
【図３】作業者が携帯物落下防止具を使用して作業している状態を示す説明図である。
【図４】作業者が、携帯物落下防止具に繋着した工具を過って落としてしまった場合の状況を示す説明図である。
【図５】従来の携帯物落下防止具における引き込みばねの構成を示す断面図である。
【発明を実施するための形態】
【００１６】
以下、本発明に係る紐状体巻き取り装置を携帯物落下防止具に適用した好ましい実施の形態について、図面を参照しながら説明する。
【００１７】
図１及び図２に示すように、この実施の形態の携帯物落下防止具は、外部装着手段を有するケース１内に、先端に落下防止対象の工具を繋着可能なワイヤ４を巻き取るリール２と、このリール２と同心かつ回転可能に設けられたばね芯３と、リール２をワイヤ４の巻き取り方向に付勢する引き込みばね５とを備える。
【００１８】
ケース１は、互いに結合・分離可能な装着ベース１Ａ、外殻１Ｂ、ケース本体１Ｃからなり、ケース本体１Ｃは、装着ベース１Ａと外殻１Ｂの間に嵌合固定されていて、装着ベース１Ａと外殻１Ｂの結合を解除することによって嵌合が解除されて分離可能となっている。
【００１９】
ケース１における装着ベース１Ａは、ケース本体１Ｃの両端面のうちいずれか一方と位置決め嵌合可能な基板部１１と、この基板部１１の上端から下方へ折り返されるように延びる板状フック部１２と、基板部１１の下部に取り付けられた金属製の結索環１３と、からなる。基板部１１における板状フック部１２との対向面には幅方向へ延びる複数の突起１１ａが形成されており、板状フック部１２には、幅方向へ延び、基板部１１の突起１１ａと異なる位置と対向する複数の突起１２ａが形成されている。
【００２０】
ケース１における外殻１Ｂは、ケース本体１Ｃの両端面のうちいずれか他方と位置決め嵌合可能な正面板１４と、この正面板１４の上部からケース本体１Ｃの上面と嵌合可能な形状をなして延び、先端に装着ベース１Ａの上端部を掛止可能な上部掛止爪１５１を有する上面板１５と、正面板１４の下部からケース本体１Ｃの下面と嵌合可能な形状をなして延び、先端に装着ベース１Ａの基板部１１の下端部及び板状フック部１２の下端被掛止部１２ｂを掛止可能な掛止爪１６と、からなる略コ字形をなしている。
【００２１】
ケース１におけるケース本体１Ｃは、不図示のビスによって互いに結合された一対のシェル１７，１８からなるものであって、このケース本体１Ｃにおける左右両側面部は、図１に示すケース１の組立状態において、略コ字形をなす外殻１Ｂの左右両側の開口部から露出するようになっている。また、ケース本体１Ｃにおける左右両側面部のうち一方の側面部には、ワイヤ引き出し口１０が開設されている。
【００２２】
リール２は、ケース本体１Ｃにおけるシェル１７，１８の内面に形成された環状のリール受け１７ａ，１８ａの間で回転可能に支持された状態に配置されており、巻き取り筒部２１と、その軸方向両端から延びるガイド鍔部２２を有し、巻き取り筒部２１の内周側はばね収納部２３となっている。
【００２３】
ばね芯３は、リール２の内径の軸孔にリール２と相対回転可能に挿通されると共に、軸方向両端が、ケース本体１Ｃにおけるシェル１７，１８に開設された軸孔に回転可能に支持されている。
【００２４】
ワイヤ４は請求項１に記載された紐状体に相当するものであって、金属の撚り線からなり、リール２の巻き取り筒部２１に巻き付けられていて、ケース１におけるケース本体１Ｃのワイヤ引き出し口１０から外部へ引き出された先端には、落下防止対象の携帯物を繋着するための繋着金具６が取り付けられている。
【００２５】
引き込みばね５は、軸方向に並列した互いにばね定数の異なる第一及び第二渦巻きばね５１，５２からなる。第一及び第二渦巻きばね５１，５２は、帯状の鋼材をうず巻き状に巻いた、いわゆるぜんまいばねからなるものであって、このうち相対的に低ばねの第一渦巻きばね５１は、リール２のばね収納部２３内に配置されていて、外周端がリール２の巻き取り筒部２１に結合されると共に、内周端がばね芯３における軸方向一端寄りの位置に形成されたスリット３ａに結合されている。また、相対的に高ばねの第二渦巻きばね５２は、ケース本体１Ｃのシェル１８の内面に形成されたリール受け１８ａの内周に配置されていて、内周端がばね芯３における軸方向他端寄りの位置に形成されたスリット３ｂに結合されると共に、外周端が前記リール受け１８ａに結合されている。そして、第一渦巻きばね５１がばね芯３に完全に巻き付いた時点でばね芯３が引き出し回転方向へ回転して第二渦巻きばね５２がばね芯３に巻き付いていくように、第一渦巻きばね５１と第二渦巻きばね５２のばね定数が設定されている。
【００２６】
以上のように構成された実施の形態による携帯物落下防止具は、例えば図３に示すように、高所作業を行う作業者Ａの腰ベルトＢの裏側に、ケース１の装着ベース１Ａの板状フック部１２を差し込んで、この板状フック部１２の下端被掛止部１２ｂをケース１における外殻１Ｂの掛止爪１６に掛止することによって、ケース１を腰ベルトＢに固定すると共に、ワイヤ４の先端の繋着金具６に工具Ｔを繋着して用いる。板状フック部１２の下端被掛止部１２ｂを外殻１Ｂの掛止爪１６に掛止した状態では、装着ベース１Ａの基板部１１に形成された突起１１ａと板状フック部１２に形成された突起１２ａで腰ベルトＢを噛み込むようになっているため、ケース１をこの腰ベルトＢにしっかりと固定することができる。
【００２７】
また、ケース１における装着ベース１Ａの基板部１１に設けられた結索環１３には、他の工具類や道具類をロープなどで結索しておくことができる。
【００２８】
そして、作業のために工具Ｔを使用する際には、ワイヤ４がケース１から引き出され、これに伴うリール２の引き出し方向への回転によって、引き込みばね５は、相対的に低ばねの第一渦巻きばね５１が先行してばね芯３における軸方向一端寄りの外周に巻曲されるので、ワイヤ４に繋着金具６を介して繋着された工具Ｔには、巻き取り方向の付勢力による大きな張力は作用しない。
【００２９】
また、作業者Ａが作業中に過って工具Ｔを手から落としてしまった場合は、その落下力によってワイヤ４がさらに引き出される。そしてワイヤ４の引き出し過程では、先に説明したように、引き込みばね５はまず相対的に低ばねの第一渦巻きばね５１がリール２の引き出し回転方向のトルクによってばね芯３における軸方向一端寄りの外周に巻き付きながら蓄勢されていくので、落下速度の増大が有効に抑制される。
【００３０】
そして第一渦巻きばね５１がばね芯３に完全に巻き付くと、その時点でリール２の引き出し回転方向のトルクによってばね芯３が引き出し回転方向へ回転し、これによって、外周端をケース本体１Ｃのリール受け１８ａに固定された高ばねの第二渦巻きばね５２がばね芯３に巻き付いていき、その蓄勢力の増大によって工具Ｔの落下速度を急速に低下させて落下を途中で食い止め、そのときの衝撃を有効に緩和する。したがって、衝撃によるワイヤ４の破断や、ケース１の損傷等を有効に防止することができる。
【００３１】
そしてこの携帯物落下防止具によれば、引き込みばね５は、互いに軸方向異なる位置に配置した低ばねの第一渦巻きばね５１と高ばねの第二渦巻きばね５２を、ばね芯３を介して連繋したものであり、すなわち低ばねの第一渦巻きばね５１のみがリール２のばね収納部２３内に配置されているので、先に説明した図５に示す従来技術のように強さの異なる複数の渦巻きばねを径方向に配置して連繋した場合に比較すると、リール２を十分に小径にすることができる。したがって、リール２を収容しているケース１の、リール２の軸心と直交する方向のサイズ、すなわちケース１の横幅Ｗを小さくすることができる。
【００３２】
このため、低ばねの第一渦巻きばね５１と高ばねの第二渦巻きばね５２からなる引き込みばね５による衝撃吸収機能を損なうことなく、作業者Ａの腰ベルトＢ等へ並列して装着する場合の並列方向のケース１の横幅Ｗを小さくして、腰回り等への携帯物落下防止具の装着数を増加することができる。
【００３３】
なお、上述した実施の形態では、落下防止対象の携帯物が工具Ｔである場合について説明したが、これには限定されず、例えば携帯通信端末や、各種キー（玄関ドア用、自動車用）などの携帯物を繋着することができる。
【００３４】
また、上述した実施の形態では、第一渦巻きばね５１が相対的に低ばね、第二渦巻きばね５２が相対的に高ばねであるものとしたが、第一渦巻きばね５１と第二渦巻きばね５２が同じ強さのばねである場合も、本発明を適用することができる。
【００３５】
この場合は、ワイヤ４がケース１から引き出されるのに伴うリール２の引き出し方向への回転によって、引き込みばね５は、ばね芯３への第一渦巻きばね５１の巻き付きと、ばね芯３の回転と、ばね芯３への第二渦巻きばね５２の巻き付きが並行して行われる。そして引き込みばね５が、軸方向に並列配置された第一及び第二渦巻きばね５１，５２を、ばね芯３を介して互いに連繋したものであるため、第一の実施の形態と同様、リール２を小径にすることができ、ひいてはリール２の軸心と直交する方向のケース１のサイズ、例えばユーザーの腰ベルト等へ並列して装着する場合の並列方向の幅を小さくすることができる。
【００３６】
また、引き込みばね５が互いに連繋した第一及び第二渦巻きばね５１，５２からなることによってワイヤ４の引き出し長さを長くすることができると共に、ばね芯３への巻き付き長さが長くなることで衝撃吸収機能を向上させることができる。
【００３７】
さらに、上述の実施の形態では携帯物落下防止具にについて説明したが、本発明に係る紐状体巻き取り装置は、例えば墨壷などのように糸や紐を引き出して線引きを行う線引き具や、糸張り具のように、糸などの巻き取り機構を備える種々の紐状体巻き取り装置について適用することができる。
【符号の説明】
【００３８】
１  ケース
１Ａ  装着ベース（外部装着手段）
２  リール
３  ばね芯
４  ワイヤ（紐状体）
５  引き込みばね
５１  第一渦巻きばね（低ばねの渦巻きばね）
５２  第二渦巻きばね（高ばねの渦巻きばね）
６  繋着金具
Ｔ  工具（携帯物）
【図１】
0006567330.tif 000002
【図２】
0006567330.tif 000003
【図３】
0006567330.tif 000004
【図４】
0006567330.tif 000005
【図５】
0006567330.tif 000006